(57)【要約】【課題】記憶部中のファイルを容易に探し出すことができる情報記憶装置を提供する。【解決手段】情報記憶装置１０１は、携帯端末装置２００と近距離無線通信する。情報記憶装置１０１は、記憶部２０と受信部５１ａと検索部１０ａと送信部５１ｂとを有する。記憶部２０は、複数のファイルを記憶する。受信部５１ａは、携帯端末装置２００からリクエスト情報を受信する。検索部１０ａは、複数のファイルの内から関連ファイルを検索する。送信部５１ｂは、検索部１０ａの検索結果を携帯端末装置２００に送信する。関連ファイルは、リクエスト情報に関連する。リクエスト情報は、複数のファイルの内の１つのファイルの名称に含まれる文字列を示す。【選択図】図２
2020016931.tif 000002
【特許請求の範囲】
【請求項１】
携帯端末装置と近距離無線通信する情報記憶装置であって、
複数のファイルを記憶する記憶部と、
前記携帯端末装置からリクエスト情報を受信する受信部と、
前記複数のファイルの内から関連ファイルを検索する検索部と、
前記検索部の検索結果を前記携帯端末装置に送信する送信部と
を備え、
前記関連ファイルは、前記リクエスト情報に関連し、
前記リクエスト情報は、前記複数のファイルの内の１つのファイルの名称に含まれる文字列を含む、情報記憶装置。
【請求項２】
前記文字列は、前記１つのファイルの名称の少なくとも一部であるか、又は、前記１つのファイルの形式を示す拡張子である、請求項１に記載の情報記憶装置。
【請求項３】
前記検索結果は、前記記憶部中の前記関連ファイルの保存場所を示す情報を含む、請求項１又は請求項２に記載の情報記憶装置。
【請求項４】
前記検索結果は、複数の前記関連ファイルの一覧を示す情報を含む、請求項１から請求項３のいずれか１項に記載の情報記憶装置。
【請求項５】
リクエスト情報制御部と、
検索結果制御部と
を更に備え、
前記受信部は、ＡＳＣＩＩコードで表される前記リクエスト情報を前記携帯端末装置から受信し、
前記リクエスト情報制御部は、前記ＡＳＣＩＩコードで表される前記リクエスト情報を、文字コードで表される前記リクエスト情報に変換し、
前記検索部は、前記文字コードで表される前記リクエスト情報に基づいて、前記関連ファイルを検索することによって、前記文字コードで表される前記検索結果を出力し、
前記検索結果制御部は、前記文字コードで表される前記検索結果を、前記ＡＳＣＩＩコードで表される前記検索結果に変換し、
前記送信部は、前記ＡＳＣＩＩコードで表される前記検索結果を前記携帯端末装置に送信する、請求項１から請求項４のいずれか１項に記載の情報記憶装置。
【請求項６】
前記携帯端末装置が、前記受信部及び前記送信部の各々から１０ｃｍ以内に位置する場合にだけ、前記受信部及び前記送信部の各々は、前記携帯端末装置と近距離無線通信する、請求項１から請求項５のいずれか１項に記載の情報記憶装置。
【請求項７】
画像を読み取る読取部と、
前記画像を含む前記ファイルを作成して、前記記憶部に記憶させる作成部と
を更に備える、請求項１から請求項６のいずれか１項に記載の情報記憶装置。
【請求項８】
請求項１から請求項７のいずれか１項に記載の情報記憶装置と、
前記携帯端末装置と
を備える、情報通信システム。
【請求項９】
請求項１から請求項７のいずれか１項に記載の情報記憶装置が実行する情報通信方法であって、
前記携帯端末装置から前記リクエスト情報を受信するステップと、
前記複数のファイルの内から前記関連ファイルを検索するステップと、
検索するステップによる前記検索結果を前記携帯端末装置に送信するステップと
を含む、情報通信方法。
【発明の詳細な説明】
【技術分野】
【０００１】
本発明は、情報記憶装置、情報通信システム及び情報通信方法に関する。
【背景技術】
【０００２】
携帯端末装置と画像形成装置とを備える情報表示システムが知られている。特許文献１に記載の情報表示システムでは、画像形成装置内でトラブルが発生した際に、画像形成装置がトラブルの種類を特定し、携帯端末装置の存在を近距離無線通信で検出する。画像形成装置は、サポートセンターへのアクセス情報を近距離無線通信で携帯端末装置へ送信する。
【先行技術文献】
【特許文献】
【０００３】
【特許文献１】特開２０１５−１２６２４６号公報
【発明の概要】
【発明が解決しようとする課題】
【０００４】
しかしながら、特許文献１に記載の情報表示システムによれば、画像形成装置に記憶されたファイルに関する情報を携帯端末装置に送信できない。ファイルに関する情報は、例えば、保存場所情報又はファイル一覧情報である。従って、特許文献１に記載の情報表示システムでは、ユーザーは、画像形成装置に記憶されたファイルを容易に探し出すことが困難であった。
【０００５】
本発明は上記課題に鑑みてなされたものであり、画像形成装置に記憶されたファイルを容易に探し出すことができる情報記憶装置、情報通信システム及び情報通信方法を提供することを目的とする。
【課題を解決するための手段】
【０００６】
本発明に係る情報記憶装置は、携帯端末装置と近距離無線通信する。情報記憶装置は、記憶部と受信部と検索部と送信部とを有する。記憶部は、複数のファイルを記憶する。受信部は、携帯端末装置からリクエスト情報を受信する。検索部は、複数のファイルの内から関連ファイルを検索する。送信部は、検索部の検索結果を携帯端末装置に送信する。関連ファイルは、リクエスト情報に関連する。リクエスト情報は、複数のファイルの内の１つのファイルの名称に含まれる文字列を含む。
【０００７】
本発明に係る情報通信システムは、情報記憶装置と、携帯端末装置とを備える。
【０００８】
本発明に係る情報通信方法は、情報記憶装置が実行する。本発明に係る情報通信方法は、携帯端末装置からリクエスト情報を受信するステップと、複数のファイルの内から関連ファイルを検索するステップと、検索するステップによる検索結果を携帯端末装置に送信するステップとを含む。
【発明の効果】
【０００９】
本発明の情報記憶装置によれば、ファイルを容易に探し出すことができる。
【図面の簡単な説明】
【００１０】
【図１】本実施形態に係る情報通信システムを示す構成図である。
【図２】本実施形態に係る画像形成装置を示すブロック図である。
【図３】本実施形態に係る画像形成装置を示す構成図である。
【図４】本実施形態に係る携帯端末装置を示すブロック図である。
【図５】本実施形態に係る携帯端末装置の処理を示すフローチャートである。
【図６】本実施形態に係る画像形成装置の処理を示すフローチャートである。
【発明を実施するための形態】
【００１１】
以下、本発明の実施形態について、図面を参照しながら説明する。なお、図中、同一又は相当部分については同一の参照符号を付して説明を繰り返さない。
【００１２】
図１を参照して、本発明の実施形態に係る情報通信システム１の全体構成を説明する。図１は、本実施形態に係る情報通信システム１を示す構成図である。情報通信システム１は、情報記憶装置１０１と、携帯端末装置２００とを備える。ユーザーによって第１無線通信及び第２無線通信の内のいずれかが選択されることにより、情報記憶装置１０１と携帯端末装置２００とは無線通信する。
【００１３】
第１無線通信は、ＮＦＣ（ＮＥＡＲ  Ｆｉｅｌｄ  Ｃｏｍｍｕｎｉｃａｔｉｏｎ）である。ＮＦＣの通信速度は、最大４２４ｋｂｐｓであるため、第１無線通信では、小容量の情報しか送受信できない。小容量の情報は、例えば、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードに変換された情報である。
【００１４】
第２無線通信は、Ｗｉ−Ｆｉダイレクト（Ｗｉｒｅｌｅｓｓ  Ｆｉｄｅｌｉｔｙ  ＤＩＲＥＣＴ）（登録商標）のような通信方式（プロトコル）を利用する通信である。そのため、第２無線通信では、大容量の情報を送受信することができる。しかし、第２無線通信を使用するには、接続設定が必要となる。
【００１５】
図２を参照して、本発明の実施形態に係る画像形成装置１００の構成を説明する。図２は、本実施形態に係る画像形成装置１００を示すブロック図である。画像形成装置１００は、情報記憶装置１０１と、画像形成ユニット３０と、入力部４０と、表示部６０と、読取部７０と、給送部８０と、搬送部９０と、排出部９１とを備える。情報記憶装置１０１は、制御部１０と、記憶部２０と、大容量通信部５０と、小容量通信部５１とを備える。
【００１６】
記憶部２０は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及び、ＲＯＭ（Ｒｅａｄ  Ｏｎｌｙ  Ｍｅｍｏｒｙ）によって構成される。記憶部２０は、複数のファイルＡ〜Ｅのような各種のデータ、及び、画像形成装置１００の各部の動作を制御するための制御プログラムを記憶する。制御プログラムは、制御部１０によって実行される。
【００１７】
複数のファイルＡ〜Ｅの各々には、ファイル名がユーザーによって付与されている。複数のファイルＡ〜Ｅの各々のファイル形式は、例えば、Ｗｏｒｄ（登録商標）、Ｅｘｃｅｌ（登録商標）、ＰＤＦ（Ｐｏｒｔａｂｌｅ  Ｄｏｃｕｍｅｎｔ  Ｆｏｒｍａｔ）、ＴＩＦＦ（ｔａｇ  ｉｍａｇｅ  ｆｉｌｅ  ｆｏｒｍａｔ）、ＸＰＳ（ＸＭＬ  Ｐａｐｅｒ  Ｓｐｅｃｉｆｉｃａｔｉｏｎ）、又は、ＪＰＥＧ（Ｊｏｉｎｔ  Ｐｈｏｔｏｇｒａｐｈｉｃ  Ｅｘｐｅｒｔｓ  Ｇｒｏｕｐ）である。
【００１８】
Ｗｏｒｄを示す拡張子は、「．ｄｏｃ」である。Ｅｘｃｅｌを示す拡張子は、「．ｘｌｓ」である。ＰＤＦを示す拡張子は、「．ｐｄｆ」である。ＴＩＦＦを示す拡張子は、「．ｔｉｆ」である。ＸＰＳを示す拡張子は、「．ｘｐｓ」である。ＪＰＥＧを示す拡張子は、「．ｊｐｅｇ」である。
【００１９】
また、記憶部２０には、複数のフォルダーａ〜ｃが設けられている。複数のフォルダーａ〜ｃの各々には、フォルダー名がユーザーによって付与されている。複数のファイルＡ〜Ｅの各々は、複数のフォルダーａ〜ｃのいずれかに格納されている。
【００２０】
制御部１０は、ＣＰＵ（Ｃｅｎｔｒａｌ  Ｐｒｏｃｅｓｓｉｎｇ  Ｕｎｉｔ）のようなプロセッサー等によって構成されるハードウェア回路である。制御部１０は、記憶部２０に記憶された制御プログラムをプロセッサーが読み出して実行することによって、画像形成装置１００の各部の動作を制御する。制御部１０は、検索部１０ａ、リクエスト情報制御部１０ｂ、検索結果制御部１０ｃ及び作成部１０ｄとして機能する。
【００２１】
小容量通信部５１（第１無線通信部）は、小容量受信部５１ａと、小容量送信部５１ｂとを有する。携帯端末装置２００が小容量通信部５１から第１所定距離以内に位置する場合にだけ、小容量通信部５１と携帯端末装置２００との間で情報が送受信される。例えば、第１所定距離は、１０ｃｍであり、携帯端末装置２００と小容量通信部５１とは接触することが好ましい。小容量受信部５１ａは、携帯端末装置２００からリクエスト情報を受信する。小容量送信部５１ｂは、検索結果を携帯端末装置２００へ送信する。
【００２２】
大容量通信部５０（第２無線通信部）は、大容量受信部５０ａと、大容量送信部５０ｂとを有する。大容量通信部５０と携帯端末装置２００との間の距離が第２所定距離内になるとともに、ユーザーによって接続設定が実行されると、大容量通信部５０と携帯端末装置２００との間で情報が送受信される。例えば、第２所定距離は、１００ｍである。大容量受信部５０ａは、携帯端末装置２００から情報を受信する。大容量送信部５０ｂは、複数のファイルＡ〜Ｅの内のいずれかを携帯端末装置２００へ送信する。
【００２３】
続けて、図３を参照して、本発明の実施形態に係る画像形成装置１００の構成を説明する。図３は、本実施形態に係る画像形成装置１００を示す構成図である。画像形成装置１００は、例えば、複写機、プリンター又は複合機である。以下では、一例として、画像形成装置１００がプリンター機能と複写機能とを有するモノクロ複合機である場合について説明する。
【００２４】
読取部７０は、原稿搬送装置７１と原稿載置板７２とスキャナー７３とを含む。読取部７０は、原稿搬送装置７１のトレイ又は原稿載置板７２に載置された原稿Ｍの画像を読み取る。読取部７０は、読み取った画像から画像情報を生成する。給送部８０は、複数のシートＳを収容し、搬送部９０へシートＳを給送する。シートＳは、例えば、紙製又は合成樹脂製のシートである。搬送部９０は、複数の搬送ローラー対を含み、画像形成ユニット３０にシートＳを搬送する。画像形成ユニット３０は、消耗品（例えば、トナー）を消費することによってシートＳに画像を形成する。
【００２５】
詳しくは、画像形成ユニット３０は、電子写真方式によってシートＳに画像を形成し、画像を加熱及び加圧してシートＳに画像を定着させる。具体的には、画像形成ユニット３０は、感光体ドラムと、帯電装置と、露光装置と、現像装置と、補給装置と、転写装置と、クリーニング装置と、除電装置と、定着装置とを含む。画像は、例えば、原稿Ｍの画像、又は、記憶部２０に記憶されているファイルＡ〜ファイルＥに含まれる画像である。搬送部９０は、画像の定着されたシートＳを排出部９１に搬送する。排出部９１は、画像形成装置１００の外部にシートＳを排出する。
【００２６】
表示部６０は、タッチパネル機能を有するディスプレーである。表示部６０には、ユーザーによる各種指示が入力される。表示部６０は、画面画像を表示する。
【００２７】
図４を参照して、本発明の実施形態に係る携帯端末装置２００の構成を説明する。図４は、本実施形態に係る携帯端末装置２００を示すブロック図である。携帯端末装置２００は、例えば、スマートフォンである。携帯端末装置２００は、ユーザーによって携帯される。
【００２８】
携帯端末装置２００は、端末記憶部２２０と、端末制御部２１０と、端末大容量通信部２５０と、端末小容量通信部２５１と、端末入力表示部２４０とを備える。
【００２９】
端末小容量通信部２５１（第１無線通信部）は、小容量受信部２５１ａと、小容量送信部２５１ｂとを有する。小容量受信部２５１ａは、小容量送信部５１ｂから検索結果を受信する。小容量送信部２５１ｂは、リクエスト情報を小容量受信部５１ａへ送信する。
【００３０】
端末大容量通信部２５０（第２無線通信部）は、大容量受信部２５０ａと、大容量送信部２５０ｂとを有する。大容量受信部２５０ａは、大容量送信部５０ｂから複数のファイルＡ〜Ｅの内のいずれかを受信する。大容量送信部２５０ｂは、情報を大容量受信部５０ａへ送信する。
【００３１】
端末入力表示部２４０は、タッチパネル機能を有するディスプレーである。端末入力表示部２４０には、ユーザーによる各種指示が入力される。端末入力表示部２４０は、端末画面画像を表示する。
【００３２】
端末記憶部２２０は、例えば、ＨＤＤ、ＲＡＭ及びＲＯＭによって構成される。端末記憶部２２０は、外部メモリーを含んでいてもよい。外部メモリーは、リムーバブルメディアである。端末記憶部２２０は、外部メモリーとして、例えば、ＳＤ（Ｓｅｃｕｒｅ  Ｄｉｇｉｔａｌ）カードを含む。端末記憶部２２０は、各種のデータ及び制御プログラムを記憶する。制御プログラムは、携帯端末装置２００の各部の動作を制御するためのプログラムであり、端末制御部２１０によって実行される。
【００３３】
端末制御部２１０は、ＣＰＵのようなプロセッサーによって構成されるハードウェア回路である。端末制御部２１０は、端末記憶部２２０に記憶された制御プログラムをプロセッサーが読み出して実行することによって、携帯端末装置２００の各部の動作を制御する。端末制御部２１０は、リクエスト情報制御部２１０ａ及び検索結果制御部２１０ｂとして機能する。
【００３４】
リクエスト情報制御部２１０ａは、端末入力表示部２４０に入力された第１リクエスト情報を第２リクエスト情報に変換して、第２リクエスト情報を小容量送信部２５１ｂから画像形成装置１００の小容量受信部５１ａに送信する。第１リクエスト情報は、ファイルの名称に含まれる文字列を含み、文字コードで表される。第２リクエスト情報は、ＡＳＣＩＩコードで表される。例えば、ユーザーは、記憶部２０に記憶されたＷｏｒｄ形式のファイルを検索したいため、端末入力表示部２４０に第１リクエスト情報として「．ｄｏｃ」を入力する。リクエスト情報制御部２１０ａは、「．ｄｏｃ」を「０ｘ２ｅ  ０ｘ６４  ０ｘ６ｆ  ０ｘ６３」に変換する。そして、リクエスト情報制御部２１０ａは、「０ｘ２ｅ  ０ｘ６４  ０ｘ６ｆ  ０ｘ６３」を小容量送信部２５１ｂから画像形成装置１００の小容量受信部５１ａに送信する。
【００３５】
検索結果制御部２１０ｂは、小容量受信部２５１ａで受信した第２検索結果を第１検索結果に変換して、第１検索結果を端末入力表示部２４０に表示させる。第１検索結果は、文字コードで表される。第２検索結果は、ＡＳＣＩＩコードで表される。例えば、検索結果制御部２１０ｂは、小容量受信部２５１ａは「０ｘ６２  ０ｘ６ｆ  ０ｘ７８  ０ｘ２ｆ  ０ｘ６４  ０ｘ６１  ０ｘ７４  ０ｘ６１  ０ｘ３１  ０ｘ２ｆ  ０ｘ７４  ０ｘ６９  ０ｘ７４  ０ｘ６ｃ  ０ｘ６５  ０ｘ２ｅ  ０ｘ６４  ０ｘ６ｆ  ０ｘ６３」を受信する。検索結果制御部２１０ｂは、「０ｘ６２  ０ｘ６ｆ  ０ｘ７８  ０ｘ２ｆ  ０ｘ６４  ０ｘ６１  ０ｘ７４  ０ｘ６１  ０ｘ３１  ０ｘ２ｆ  ０ｘ７４  ０ｘ６９  ０ｘ７４  ０ｘ６ｃ  ０ｘ６５  ０ｘ２ｅ  ０ｘ６４  ０ｘ６ｆ  ０ｘ６３」を「ｂｏｘ／ｄａｔａ１／ｔｉｔｌｅ．ｄｏｃ」に変換する。検索結果制御部２１０ｂは、第１検索結果として「ｂｏｘ／ｄａｔａ１／ｔｉｔｌｅ．ｄｏｃ」を端末入力表示部２４０に表示させる。従って、ユーザーは、画像形成装置１００の記憶部２０に記憶されたファイルを容易に探し出すことができる。
【００３６】
図２に戻り、画像形成装置１００の制御部１０の構成について説明する。作成部１０ｄは、読取部７０で読み取った画像に基づいてファイルを作成して、ファイルを記憶部２０に記憶させる。
【００３７】
リクエスト情報制御部１０ｂは、小容量受信部５１ａで受信した第２リクエスト情報を第１リクエスト情報に変換する。例えば、リクエスト情報制御部１０ｂは、「０ｘ２ｅ  ０ｘ６４  ０ｘ６ｆ  ０ｘ６３」を「．ｄｏｃ」に変換する。
【００３８】
検索部１０ａは、複数のファイルＡ〜Ｅの内から関連ファイルを検索することによって、第１検索結果を出力する。関連ファイルは、第１リクエスト情報に関連するファイルである。例えば、検索部１０ａは、「．ｄｏｃ」に基づいて、拡張子が「．ｄｏｃ」であるファイルを検索する。検索部１０ａは、ファイルＣの拡張子が「．ｄｏｃ」であると判定する。ファイルＣは、フォルダーｂ内のフォルダーｃに記憶されている。フォルダーｂの名称は「ｂｏｘ」であり、フォルダーｃの名称は「ｄａｔａ１」であり、ファイルＣの名称は「ｔｉｔｌｅ．ｄｏｃ」である。その結果、検索部１０ａは、第１検索結果としてファイルパス（保存場所を示す情報）を出力する。ファイルパスは「ｂｏｘ／ｄａｔａ１／ｔｉｔｌｅ．ｄｏｃ」である。
【００３９】
検索結果制御部１０ｃは、検索部１０ａで出力された第１検索結果を第２検索結果に変換して、第２検索結果を小容量送信部５１ｂから携帯端末装置２００の端末小容量通信部２５１に送信する。例えば、検索結果制御部１０ｃは、「ｂｏｘ／ｄａｔａ１／ｔｉｔｌｅ．ｄｏｃ」を「０ｘ６２  ０ｘ６ｆ  ０ｘ７８  ０ｘ２ｆ  ０ｘ６４  ０ｘ６１  ０ｘ７４  ０ｘ６１  ０ｘ３１  ０ｘ２ｆ  ０ｘ７４  ０ｘ６９  ０ｘ７４  ０ｘ６ｃ  ０ｘ６５  ０ｘ２ｅ  ０ｘ６４  ０ｘ６ｆ  ０ｘ６３」に変換する。検索結果制御部１０ｃは、「０ｘ６２  ０ｘ６ｆ  ０ｘ７８  ０ｘ２ｆ  ０ｘ６４  ０ｘ６１  ０ｘ７４  ０ｘ６１  ０ｘ３１  ０ｘ２ｆ  ０ｘ７４  ０ｘ６９  ０ｘ７４  ０ｘ６ｃ  ０ｘ６５  ０ｘ２ｅ  ０ｘ６４  ０ｘ６ｆ  ０ｘ６３」を小容量送信部５１ｂから携帯端末装置２００の端末小容量通信部２５１に送信する。
【００４０】
ここで、図５及び図６を参照して、本実施形態に係る画像形成装置１００及び携帯端末装置２００の処理について説明する。図５は、本実施形態に係る携帯端末装置２００の処理を示すフローチャートである。携帯端末装置２００の処理は、ステップＳ１０１〜ステップＳ１０６を含む。
【００４１】
ステップＳ１０１において、リクエスト情報制御部２１０ａは、第１リクエスト情報が入力されたか否かを判定する。第１リクエスト情報が入力されていないとリクエスト情報制御部２１０ａが判定した場合（ステップＳ１０１でＮＯ）には、処理が待機状態になる。一方、第１リクエスト情報が入力されたとリクエスト情報制御部２１０ａが判定した場合（ステップＳ１０１でＹＥＳ）には、処理がステップＳ１０２に進む。
【００４２】
ステップＳ１０２において、リクエスト情報制御部２１０ａは、第１リクエスト情報を第２リクエスト情報に変換する。リクエスト情報制御部２１０ａが第２リクエスト情報に変換すると、処理がステップＳ１０３に進む。
【００４３】
ステップＳ１０３において、携帯端末装置２００の小容量送信部２５１ｂと画像形成装置１００の小容量受信部５１ａとの間の距離が第１所定距離内になると、リクエスト情報制御部２１０ａは、第２リクエスト情報を携帯端末装置２００の小容量送信部２５１ｂから画像形成装置１００の小容量受信部５１ａに送信する。リクエスト情報制御部２１０ａが第２リクエスト情報を送信すると、処理がステップＳ１０４に進む。
【００４４】
ステップＳ１０４において、第２検索結果が受信されたか否かを検索結果制御部２１０ｂは判定する。第２検索結果が受信されていないと検索結果制御部２１０ｂが判定した場合（ステップＳ１０４でＮＯ）には、処理が待機状態になる。一方、第２検索結果が受信されたと検索結果制御部２１０ｂが判定した場合（ステップＳ１０４でＹＥＳ）には、処理がステップＳ１０５に進む。
【００４５】
ステップＳ１０５において、検索結果制御部２１０ｂは、第２検索結果を第１検索結果に変換する。検索結果制御部２１０ｂが第１検索結果に変換すると、処理がステップＳ１０６に進む。
【００４６】
ステップＳ１０６において、検索結果制御部２１０ｂは、第１検索結果を端末入力表示部２４０に表示させる。検索結果制御部２１０ｂが第１検索結果を端末入力表示部２４０に表示させると、本実施形態に係る携帯端末装置２００の処理が終了する。
【００４７】
続けて、図６を参照して、本実施形態に係る画像形成装置１００の処理（情報通信方法）について説明する。図６は、本実施形態に係る画像形成装置１００の処理を示すフローチャートである。画像形成装置１００の処理は、ステップＳ２０１〜ステップＳ２０５を含む。
【００４８】
ステップＳ２０１において、リクエスト情報制御部１０ｂは、第２リクエスト情報を受信したか否かを判定する。第２リクエスト情報を受信していないとリクエスト情報制御部１０ｂが判定した場合（ステップＳ２０１でＮＯ）には、処理が待機状態になる。一方、第２リクエスト情報を受信したとリクエスト情報制御部１０ｂが判定した場合（ステップＳ２０１でＹＥＳ）には、処理がステップＳ２０２に進む。
【００４９】
ステップＳ２０２において、リクエスト情報制御部１０ｂは、第２リクエスト情報を第１リクエスト情報に変換する。リクエスト情報制御部１０ｂが第１リクエスト情報を変換すると、処理がステップＳ２０３に進む。
【００５０】
ステップＳ２０３において、検索部１０ａは、複数のファイルＡ〜Ｅの内から関連ファイルを検索することによって、第１検索結果を出力する。検索部１０ａが第１検索結果を出力すると、処理がステップＳ２０４に進む。
【００５１】
ステップＳ２０４において、検索結果制御部１０ｃは、第１検索結果を第２検索結果に変換する。検索結果制御部１０ｃが第２検索結果に変換すると、処理がステップＳ２０５に進む。
【００５２】
ステップＳ２０５において、画像形成装置１００の小容量送信部５１ｂと携帯端末装置２００の端末小容量通信部２５１との間の距離が第１所定距離内になると、検索結果制御部１０ｃは、第２検索結果を画像形成装置１００の小容量送信部５１ｂから携帯端末装置２００の端末小容量通信部２５１に送信する。検索結果制御部１０ｃは第２検索結果を送信すると、本実施形態に係る画像形成装置１００の処理が終了する。
【００５３】
以上、図１〜図６を参照して説明したように、本実施形態によれば、ユーザーは、端末入力表示部２４０に第１リクエスト情報を入力する。ユーザーは、携帯端末装置２００を画像形成装置１００に接触させる。これにより、端末入力表示部２４０は第１検索結果を表示する。従って、ユーザーは、携帯端末装置２００を用いて、画像形成装置１００の記憶部２０に記憶されたファイルを容易に探し出すことができる。
【００５４】
以上、図面（図１〜図６）を参照しながら本発明の実施形態を説明した。但し、本発明は、本実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数、間隔等は、図面作成の都合上から実際とは異なる。また、本実施形態で示す各構成要素の材質、距離等は一例であって、特に限定されるものではなく、本発明の構成から実質的に逸脱しない範囲で種々の変更が可能である。
【００５５】
（１）本実施形態では、ユーザーは、端末入力表示部２４０に第１リクエスト情報としてファイル形式を示す拡張子を入力した。ただし、ユーザーは、ファイルの名称の一部（例えば、Ｓｐｅｃｉｆｉｃａｔｉｏｎ）を入力してもよい。その結果、検索部１０ａは、ファイルの名称に「Ｓｐｅｃｉｆｉｃａｔｉｏｎ」を含むファイルを検索する。更に、ユーザーは、第１リクエスト情報としてファイルの形式を示す拡張子と、ファイルの名称の一部との両方を入力してもよい。その結果、検索部１０ａは、拡張子とファイルの名称の一部との両方を含むファイルを検索する。
【００５６】
（２）本実施形態では、検索部１０ａは、第１検索結果としてファイルパスを出力した。ただし、検索部１０ａは、第１検索結果として複数の関連ファイルの一覧を示す情報を出力してもよい。例えば、ファイルＢのファイル形式とファイルＤのファイル形式とがＷｏｒｄであれば、ファイルＢとファイルＤとを示す関連ファイルの一覧を示す情報を出力する。従って、ユーザーは、携帯端末装置２００を用いて、画像形成装置１００の記憶部２０に所望のファイルが記憶されているか認識することができる。
【００５７】
（３）本実施形態では、画像形成装置１００と携帯端末装置２００との間でファイルＡ〜Ｆを送受信する場合には、Ｗｉ−Ｆｉダイレクトのような無線通信を利用した。ただし、有線通信を利用してもよい。
【００５８】
（４）図１〜図６を参照して説明した画像形成装置１００は、電子写真方式のモノクロ複合機であったが、本発明はこれに限られない。画像形成装置１００は、例えば、インクジェット記録方式であってもよいし、カラー複合機であってもよい。例えば、画像形成装置１００がインクジェット記録方式の複合機である実施形態において、画像形成ユニット３０は、記録ヘッドを含む。消耗品は、インクである。また、情報記憶装置１０１が画像形成装置１００に備えられる場合について説明したが、限定されない。例えば、情報記憶装置１０１が、サーバー、又は、表示部を備えない画像形成装置でもよい。
【産業上の利用可能性】
【００５９】
本発明は、情報通信システムの分野に利用可能である。
【符号の説明】
【００６０】
１    情報通信システム
１０    制御部
１０ａ    検索部
１０ｂ    リクエスト情報制御部
１０ｃ    検索結果制御部
２０    記憶部
５１    小容量通信部
５１ａ    小容量受信部
５１ｂ    小容量送信部
１００    画像形成装置
１０１    情報記憶装置
２００    携帯端末装置
２１０    端末制御部
２１０ａ    リクエスト情報制御部
２１０ｂ    検索結果制御部
２２０    端末記憶部
２４０    端末入力表示部
２５１    端末小容量通信部
２５１ａ    小容量受信部
２５１ｂ    小容量送信部
【図１】
2020016931.tif 000003
【図２】
2020016931.tif 000004
【図３】
2020016931.tif 000005
【図４】
2020016931.tif 000006
【図５】
2020016931.tif 000007
【図６】
2020016931.tif 000008